(57)【要約】      （修正有）【課題】新たなブラケット及びその取り付け装置を提供する。【解決手段】ブラケットは、ベース２８、少なくとも１個の取り付け部品４８、取り付け装置３０を備える。ベース２８は端板３４を有する。少なくとも１個の取り付け部品４８はベース２８の端板３４を貫通して設置されている。取り付け装置３０は係合ロック部品４４、弾性部品４６を有する。係合ロック部品４４はサポート部６２、係合ロック凸体６４、アーム部６６を有する。アーム部６６はサポート部６２と係合ロック凸体６４との間に連接し、サポート部６２はベース２８に接触し、アーム部６６はベース２８の端板３４を貫通する。係合ロック凸体６４と端板３４との間には係合固定間隔距離を有する。弾性部品４６は弾力作用を係合ロック部品４４に提供する。【選択図】図２
0003196094.tif 000002
【実用新案登録請求の範囲】
【請求項１】
ベース、少なくとも１個の取り付け部品、および、取り付け装置を備え、
前記ベースは、側板、端板を有し、
前記端板は前記側板に垂直に連接されており、
少なくとも１個の前記取り付け部品は、前記ベースの前記端板を貫通して設置されており、
前記取り付け装置は、係合ロック部品および弾性部品を有し、
前記係合ロック部品は、サポート部、係合ロック凸体、およびアーム部を有し、
前記アーム部は、前記サポート部と前記係合ロック凸体との間に連接されており、
前記サポート部は、前記ベースに接触し、
前記弾性部品は、前記係合ロック部品に弾力作用を提供し、
前記係合ロック部品の前記係合ロック凸体は、前記弾性部品の弾力により、所定の位置を保持し、
前記係合ロック凸体と前記ベースの前記端板との間の距離を係合固定間隔距離と定義し、少なくとも１個の前記取り付け部品の前端と前記ベースの前記端板との間の距離をサポート長と定義する場合、
前記係合固定間隔距離が、前記サポート長より小さく、係合固定しようとする物体の厚さより大きく形成されていることを特徴とするブラケット。
【請求項２】
前記弾性部品と前記係合ロック部品とは、一体に成形されており、
前記弾性部品と前記係合ロック部品との間には、挟角を有し、弾性空間を区画することを特徴とする請求項１に記載のブラケット。
【請求項３】
前記係合ロック部品と前記弾性部品とは、相互に連接されており、
前記係合ロック部品は、金属材質或いはプラスチック材質の何れか一方であり、
前記弾性部品は、金属材質或いはプラスチック材質の何れか他方であることを特徴とする請求項１に記載のブラケット。
【請求項４】
前記ベースに取り付けられている補助台をさらに備え、
前記補助台は、取り付け口、第一抵触部、および第二抵触部を有し、
前記第一抵触部と前記第二抵触部は、前記補助台の両側にそれぞれ位置しており、
前記係合ロック部品は、前記取り付け口により、前記補助台に取り付けられており、
前記第一抵触部は、前記係合ロック部品の前記サポート部に接触されており、
前記第二抵触部は、前記弾性部品に接触されていることを特徴とする請求項１に記載のブラケット。
【請求項５】
前記ベースに取り付けられている補助台をさらに備え、
前記補助台は、取り付け口、第一抵触部、および第二抵触部を有し、
前記第一抵触部と前記第二抵触部は、前記補助台の両側にそれぞれ位置しており、
前記係合ロック部品は凹槽をさらに有し、
前記係合ロック部品は、前記取り付け口により、前記補助台に取り付けられており、
前記第一抵触部は、前記係合ロック部品の前記サポート部に接触されており、
前記弾性部品は、前記第二抵触部と前記係合ロック部品の凹槽との間に取り付けられていることを特徴とする請求項１に記載のブラケット。
【請求項６】
前記ベースに補助台が成形されており、
前記補助台は、取り付け口、第一抵触部、および第二抵触部を有し、
前記第一抵触部と前記第二抵触部は、前記補助台の両側にそれぞれ位置しており、
前記係合ロック部品は、前記取り付け口により、前記ベースの前記補助台に取り付けられており、
前記第一抵触部は、前記係合ロック部品の前記サポート部に接触されており、
前記第二抵触部は、前記弾性部品に接触されていることを特徴とする請求項１に記載のブラケット。
【請求項７】
挿入部品をさらに備え、
前記挿入部品は、前記ベースの前記端板を貫通して設置されており、身部および頭部を有し、
前記頭部は、前記身部と連接しており、
前記挿入部品の前記身部は陥没エリアおよび嵌合部位を有し、
前記嵌合部位は、前記陥没エリア内の前記頭部に隣接する片側に位置していることを特徴とする請求項１に記載のブラケット。
【請求項８】
前記挿入部品は溝槽をさらに有し、
前記係合ロック部品の前記アーム部は、前記挿入部品の溝槽に通して設置されており、
前記係合ロック部品の前記係合ロック凸体は、前記弾性部品の弾力に反応し、前記挿入部品の前記溝槽外へと伸び出ることを特徴とする請求項７に記載のブラケット。
【請求項９】
前記ベースの前記側板は窓口をさらに有し、
前記係合ロック部品は操作部をさらに有し、
前記操作部は、前記窓口に対応することを特徴とする請求項１に記載のブラケット。
【請求項１０】
少なくとも１個の前記取り付け部品は、移動可能に矩形本体、円柱形本体、およびバネを有し、
前記矩形本体は、前記円柱形本体に相対してスライド可能に連接されており、前記バネの弾力を、前記矩形本体に加え、
前記矩形本体は、前記バネの弾力により伸び出ることを特徴とする請求項１に記載のブラケット。
【請求項１１】
前記係合ロック部品の前記サポート部は、弧状面を有することを特徴とする請求項１に記載のブラケット。
【請求項１２】
補助台、係合ロック部品、および弾性部品を備え、
前記補助台は、第一抵触部および第二抵触部を有し、
前記係合ロック部品は、サポート部、係合ロック凸体、およびアーム部を有し、
前記アーム部は、前記サポート部と前記係合ロック凸体との間に連接されており、
前記サポート部は、前記補助台の前記第一抵触部に接触しており、
前記弾性部品は、前記補助台の前記第二抵触部に接触しており、弾力作用を前記係合ロック部品に提供し、
前記係合ロック部品の前記係合ロック凸体は、前記弾性部品の弾力により、所定の位置を保持することを特徴とする取り付け装置。
【請求項１３】
少なくとも１個のポストを有するラックにスライドレールアセンブリを取り付けるのに用いられるブラケットであって、
ベース、少なくとも１個の取り付け部品、取り付け装置、および弾性部品を備え、
前記ベースは、側板および端板を有し、
前記端板は前記側板に垂直に連接されており、
前記側板は、前記スライドレールアセンブリに連接されており、
少なくとも１個の前記取り付け部品は、前記ベースの前記端板と前記ラックの少なくとも１個の前記ポストを貫通して設置されており、
前記取り付け装置は、係合ロック部品を有し、
前記係合ロック部品は、サポート部、係合ロック凸体、およびアーム部を有し、
前記アーム部は、前記サポート部と前記係合ロック凸体との間に連接されており、
前記サポート部は、前記ベースに接触し、
前記弾性部品は、前記係合ロック部品に弾力作用を提供し、
前記係合ロック部品の前記係合ロック凸体は、前記弾性部品の弾力により、所定の位置を保持し、前記ラックの少なくとも１個の前記ポストを、ブロック或いは係合固定することを特徴とするブラケット。
【請求項１４】
前記ベースに取り付けられている補助台をさらに備え、
前記補助台は、取り付け口、第一抵触部、および第二抵触部を有し、
前記第一抵触部と前記第二抵触部は、前記補助台の両側にそれぞれ位置しており、
前記係合ロック部品は、前記取り付け口により、前記補助台に取り付けられており、
前記第一抵触部は、前記係合ロック部品の前記サポート部に接触しており、
前記第二抵触部は、前記弾性部品に接触されていることを特徴とする請求項１３に記載のブラケット。
【請求項１５】
前記ベースに取り付けられている補助台をさらに備え、
前記補助台は、取り付け口、第一抵触部、および第二抵触部を有し、
前記第一抵触部と前記第二抵触部は、前記補助台の両側にそれぞれ位置しており、
前記係合ロック部品は凹槽をさらに備え、
前記係合ロック部品は、前記取り付け口により、前記補助台に取り付けられており、
前記第一抵触部は、前記係合ロック部品の前記サポート部に接触しており、
前記弾性部品は、前記第二抵触部と前記係合ロック部品の前記凹槽との間に取り付けられていることを特徴とする請求項１３に記載のブラケット。  
【考案の詳細な説明】
【技術分野】
【０００１】
本考案は、取り付け装置に関し、ブラケット（ｂｒａｃｋｅｔ）に用いられる取り付け装置、及び当該取り付け装置に運用され、ラック（ｒａｃｋ）の少なくとも１個のポスト（ｐｏｓｔ）に取り付けられているスライドレールアセンブリ（ｓｌｉｄｅ  ｒａｉｌ  ａｓｓｅｍｂｌｙ）のブラケット及びその取り付け装置に関する。
【背景技術】
【０００２】
特許文献１、特許文献２に示すブラケットに用いる取り付け装置は、取り付け装置を備えるブラケットを運用し、スライドレールアセンブリをラック（ラックのポストなど）に取り付けるものである。
【０００３】
特許文献１の実施形態と図式（図１、２など）に示すように、取り付け装置は、取り付けブラケット１０、係合ロック部品３０、復位部品５０を備える。
係合ロック部品３０は、ピボット５３により、取り付けブラケット１０に移動可能に接続される。
特許文献１の図４、５に示すように、スライドレールアセンブリのスライドレール７０は、取り付けブラケット１０により、而被取り付けラックのポスト８０に取り付けられる。
取り付けブラケット１０は、取り付け部品の第一部位１４１により、ポスト８０の孔８２を通過して定位された後、弾性部品５１により弾力を提供される。
これにより、係合ロック部品３０の嵌合歯３２１は、ポスト８０への嵌合を保持し、スライドレールアセンブリはラックのポスト８０に堅固に取り付けられる。
【０００４】
特許文献２の実施形態と図式（図１〜３）に示すように、係合ロック部品４０は、ピボット１８により、取り付けブラケット１０の側板１２に移動可能に接続され、弾性脚４２により弾力を提供する。
これにより、係合ロック部品４０の嵌合部４６は、ラックのポスト８６への嵌合を保持することができる。
【先行技術文献】
【特許文献】
【０００５】
【特許文献１】米国特許ＵＳ２０１３/００５６４３２ Ａ１号明細書
【特許文献２】米国特許ＵＳ８,７７０,５２８ Ｂ２号明細書
【考案の概要】
【考案が解決しようとする課題】
【０００６】
上記したように、ブラケットに用いる取り付け装置は、通常は係合ロック部品を備え、しかも係合ロック部品は、ピボットにより、ブラケットに移動可能に接続される。
このタイプの技術は既に幅広く運用されているが、市場ではこのタイプの製品に対しては特定の需要がある。
そのため、全く新しいブラケットの開発が待たれている。
【０００７】
本考案は、上述の問題に鑑みてなされたものであり、その目的は、全く新しいブラケット及びその取り付け装置を提供することにある。
【課題を解決するための手段】
【０００８】
本考案によるブラケット及びその取り付け装置において、その取り付け装置は、全く新しい取り付け装置であって、ブラケットに運用される。
取り付け装置の係合ロック部品は、サポート部を備え、偏転可動のサポート点となり、弾性部品は、弾力作用を係合ロック部品に提供し、これにより係合ロック部品の係合ロック凸体は、所定の位置を保持される。
ブラケットはベース、少なくとも１個の取り付け部品、取り付け装置を備える。
ベースは、側板、端板を備え、端板は側板に垂直に連接する。
少なくとも１個の取り付け部品は、ベースの端板を貫通して設置する。
取り付け装置は、係合ロック部品、弾性部品を備える。
係合ロック部品は、サポート部、係合ロック凸体、アーム部を備え、アーム部は、サポート部と係合ロック凸体との間に連接し、サポート部は、ベースに接触する。
弾性部品は、弾力作用を係合ロック部品に提供し、これにより係合ロック部品の係合ロック凸体は、弾性部品の弾力により、所定の位置を保持する。
係合固定間隔距離は、係合ロック凸体とベースの端板との間の距離に定義する。
サポート長は、少なくとも１個の取り付け部品の前端とベースの端板との間の距離に定義する。
係合固定間隔距離は、サポート長より小さく、しかも係合固定間隔距離は、係合固定しようとする物件の厚さより大きい。
【０００９】
好ましくは、弾性部品と係合ロック部品とは、一体に成形し、弾性部品と係合ロック部品との間には、挟角を備え、弾性空間を区画する。
好ましくは、係合ロック部品と弾性部品は、金属材質及びプラスチック材質を含む２種の異質な材質を採用し、相互に連接し、係合ロック部品は、金属材質或いはプラスチック材質の何れかを選択し、弾性部品は、他のもう一つの金属材質或いはプラスチック材質を選択する。
好ましくは、さらに補助台を備え、ベースに取り付ける。
補助台は、取り付け口、第一抵触部、第二抵触部を備える。
第一抵触部と第二抵触部は、補助台の両側にそれぞれ位置する。
係合ロック部品は、取り付け口により、補助台に取り付けられ、第一抵触部は、係合ロック部品のサポート部に接触され、第二抵触部は、弾性部品に接触される。
好ましくは、さらに補助台を備え、ベースに取り付け、補助台は、取り付け口、第一抵触部、第二抵触部を備える。
第一抵触部と第二抵触部は、補助台の両側にそれぞれ位置し、係合ロック部品はさらに、凹槽を備える。
係合ロック部品は、取り付け口により、補助台に取り付けられ、第一抵触部は、係合ロック部品のサポート部に接触される。
弾性部品は、第二抵触部と係合ロック部品の凹槽との間に取り付けられる。
好ましくは、ベースはさらに、取り付け口、第一抵触部、第二抵触部を備え、第一抵触部と第二抵触部は、補助台の両側にそれぞれ位置する。
係合ロック部品は、取り付け口により、ベースに取り付けられ、第一抵触部は、係合ロック部品のサポート部に接触され、第二抵触部は、弾性部品に接触される。
好ましくは、ブラケットはさらに挿入部品を備え、挿入部品は、ベースの端板を貫通して設置する。
挿入部品は身部、頭部を備え、頭部は、身部と連接し、挿入部品の身部は、陥没エリア、嵌合部位を備え、嵌合部位は、陥没エリア内の頭部に隣接する片側に位置する。
挿入部品はさらに、溝槽を備え、係合ロック部品のアーム部は、挿入部品の溝槽に通して設置し、係合ロック部品の係合ロック凸体は、弾性部品の弾力に反応し、挿入部品の溝槽外へと伸び出る。
好ましくは、ベースの側板はさらに、窓口を備え、係合ロック部品はさらに、操作部を備え、操作部は窓口に対応する。
好ましくは、少なくとも１個の取り付け部品は、移動可能な矩形本体、円柱形本体、バネを備え、矩形本体は、円柱形本体に相対してスライド可能状に連接し、バネの弾力を矩形本体に加え、矩形本体は、バネの弾力により伸び出る。
好ましくは、係合ロック部品のサポート部は、弧状面を備える。
【００１０】
取り付け装置は、補助台、係合ロック部品、弾性部品を備える。
補助台は、第一抵触部及び第二抵触部を備える。
係合ロック部品は、サポート部、係合ロック凸体、アーム部を備え、アーム部は、サポート部と係合ロック凸体との間に連接し、サポート部は、補助台の第一抵触部に接触する。
弾性部品は、補助台の第二抵触部に接触し、弾性部品は、弾力作用を係合ロック部品に提供し、これにより係合ロック部品の係合ロック凸体は、弾性部品の弾力により、所定の位置を保持する。
【００１１】
ブラケットは、スライドレールアセンブリをラックに取り付ける。
ラックは、少なくとも１個のポストを備え、ブラケットはベース、少なくとも１個の取り付け部品、取り付け装置を備える。
ベースは、側板、端板を備え、端板は側板に垂直に連接し、側板は、スライドレールアセンブリに連接する。
少なくとも１個の取り付け部品は、ベースの端板とラックの少なくとも１個のポストを貫通して設置する。
取り付け装置は、係合ロック部品、弾性部品を備える。
係合ロック部品は、サポート部、係合ロック凸体、アーム部を備え、アーム部は、サポート部と係合ロック凸体との間に連接し、サポート部は、ベースに接触する。
弾性部品は、弾力作用を係合ロック部品に提供し、これにより係合ロック部品の係合ロック凸体は、弾性部品の弾力により、所定の位置を保持し、ラックの少なくとも１個のポストを、ブロック或いは係合固定する。
好ましくは、さらに補助台を備え、ベースに取り付け、補助台は、取り付け口、第一抵触部、第二抵触部を備える。
第一抵触部と第二抵触部は、補助台の両側にそれぞれ位置し、係合ロック部品は、取り付け口により、補助台に取り付けられ、第一抵触部は、係合ロック部品のサポート部に接触される。
第二抵触部は、弾性部品に接触される。
好ましくは、さらに補助台を備え、係合ロック部品は、補助台により、ベースに取り付け、補助台は、取り付け口、第一抵触部、第二抵触部を備える。
第一抵触部と第二抵触部は、補助台の両側にそれぞれ位置し、係合ロック部品はさらに、凹槽を備え、係合ロック部品は、取り付け口により、補助台に取り付けられ、第一抵触部は、係合ロック部品のサポート部に接触される。
弾性部品は、第二抵触部と係合ロック部品の凹槽との間に取り付けられる。
【００１２】
本考案のブラケットの取り付け装置の係合ロック部品は、サポート部を備え、サポート部は偏転可動のサポート点となり、弾性部品は、弾力作用を係合ロック部品に提供し、これにより、係合ロック部品の係合ロック凸体は、所定の位置を保持される。 
【図面の簡単な説明】
【００１３】
【図１】本考案の第一実施形態によるブラケットをスライドレールアセンブリに適用し、これによりスライドレールアセンブリがラックのポストに取り付けられている様子を示す模式図である。
【図２】本考案の第一実施形態によるブラケットの分解図である。
【図２Ａ】本考案の第一実施形態によるブラケットの係合ロック部品と弾性部品とが異なる材質であることを示す模式図である。
【図２Ｂ】本考案の第一実施形態によるブラケットの係合ロック部品と弾性部品とが異なる材質であることを示す模式図である。
【図３Ａ】本考案の第一実施形態によるブラケットの係合ロック部品補助台に取り付けられ、しかもブラケットがラックのポストに対応させられる様子を示す模式図である。
【図３Ｂ】本考案の第一実施形態によるブラケットの係合ロック部品の係合ロック凸体が偏移し、これによりブラケットが対応してラックのポストに取り付けられる様子を示す模式図である。の
【図４Ａ】本考の第一実施形態によるブラケットがラックのポストに取り付けられ、しかも係合ロック部品の係合ロック凸体が弾性部品の提供する弾力によりブロックを保持され、或いはラックのポストに係合される様子を示す模式図である。
【図４Ｂ】本考案の第一実施形態によるブラケットの係合ロック部品の係合ロック凸体が偏移し、これによりブラケットがラックのポストから取り外される様子を示す模式図である。
【図５Ａ】本考案の第一実施形態によるブラケットの取り付け部品がポストに対応する形状の孔を有する様子を示す模式図（一）である。
【図５Ｂ】本考案の第一実施形態によるブラケットの取り付け部品がポストに対応する形状の孔を有する様子を示す模式図（二）である。
【図５Ｃ】本考案の第一実施形態によるブラケットの取り付け部品がポストに対応する形状の孔を有する様子を示す模式図（三）である。
【図５Ｄ】本考案の第一実施形態によるブラケットの取り付け部品がポストに対応する形状の孔を有する様子を示す模式図（四）である。
【図６】本考案の第一実施形態によるブラケットがサーバーシステムに運用される様子を示す模式図である。
【図７】図６のシャーシが係合装置を有し、これによりブラケットの一部分と相互に嵌合して定位されている様子を示す模式図である。
【図８】図７の係合装置がブラケットの一部分から嵌合が解除され離脱する様子を示す模式図である。
【図９】本考案の第二実施形態によるブラケットの模式図である。
【図１０】本考案の第三実施形態によるブラケットがラックのポストに対応する様子を示す模式図である。
【図１１】本考案の第四実施形態によるブラケットの分解模式図である。
【図１２】本考案の第五実施形態によるブラケットの分解模式図である。
【考案を実施するための形態】
【００１４】
（第一実施形態）
本考案の第一実施形態によるブラケット及びその取り付け装置を図面に基づいて説明する。
図１に示すように、本考案一実施形態によるスライドレールアセンブリ１０の２個の相対部位（前端部と後端部など）は、それぞれ第一ブラケット１２と第二ブラケット１４により、ラック１６の第一ポスト１８ａと第二ポスト１８ｂに取り付けられる。
各ポスト１８ａ或いは１８ｂは、複数の孔２０を備える。
【００１５】
スライドレールアセンブリ１０は、第一レール２２及び第二レール２４を備える。
第二レール２４は、縦方向に、第一レール２２に相対し移動する。
第二レール２４は、少なくとも１個の取り付け部２６を備え、シャーシ（ｃｈａｓｓｉｓ）（図示なし）を取り付ける。
以下では、第一ブラケット１２（以下、ブラケット１２と略称）についてのみ説明を行い、本考案実施形態の特徴を開示する。
【００１６】
図１、２に示すように、ブラケット１２は、ベース２８及び取り付け装置３０を備える。
一実施形態中では、ベース２８は、側板３２、端板３４を備え、端板３４は側板３２に略垂直に連接する。
側板３２は、直接的或いは間接的に、サポートフレーム３３を通して、スライドレールアセンブリ１０の第一レール２２に連接される。
側板３２はさらに、窓口３６を備える。
端板３４は、一対の取り付け孔３８及び穿孔４０を備える。
ここでは例として、穿孔４０は、一対の取り付け孔３８間に位置する。
各取り付け孔３８と穿孔４０は、ラック１６上の任意のポスト１８ａ或いは１８ｂの各孔２０に対応する。
【００１７】
取り付け装置３０は、補助台４２、係合ロック部品４４を備え、補助台４２により、ベース２８、弾性部品４６に取り付けられる。
一実施形態中では、図２Ａ、２Ｂに示すように、係合ロック部品４４と弾性部品４６とは、金属材質とプラスチック材質を含む２種の異質な材質を採用することができる。
第一種材質は金属材質などで、第二種材質はプラスチック材質などで、相互に連接させ、しかも弾性部品４６と係合ロック部品４４との間には、挟角を備え、弾性空間４６１を区画する。
例えば、係合ロック部品４４は、第一種材質或いは第二種材質の何れかを選択し、弾性部品４６は、他のもう一つの第一種材質或いは第二種材質を選択する。
【００１８】
別種の実施形態中では、弾性部品４６は、係合ロック部品４４に直接成形し、しかも係合ロック部品４４に弾力作用を提供することができる。
成形材質は、金属或いはプラスチック材質であるが、実施においてはこれに限定しない。
補助台４２は、取り付け口４３を備え、しかもベース２８に取り付けられる。
【００１９】
具体的には、ブラケット１２はさらに、補助台４２に配置する一対の取り付け部品４８、挿入部品５０を備える。
一対の取り付け部品４８と挿入部品５０とは、それぞれ対応して設置され、ベース２８の端板３４の取り付け孔３８と穿孔４０とを通過し、第一ポスト１８ａの孔２０に対応して取り付けられる。
これにより、ベース２８は、第一ポスト１８ａに取り付けられる。
【００２０】
挿入部品５０は、身部５２、頭部５４を備え、頭部５４は身部５２と相互に連接する。
身部５２は、陥没エリア５６、嵌合部５８、溝槽６０を備え、嵌合部５８は陥没エリア５６内の、頭部５４に隣接する片側に位置し、溝槽６０と補助台４２の取り付け口４３とは、相互に連通する（図３Ａ参照）。
【００２１】
係合ロック部品４４は、サポート部６２、係合ロック凸体６４、アーム部６６、操作部６８を備え、アーム部６６はサポート部６２と係合ロック凸体６４との間に連接し、操作部６８は、サポート部６２に連接する。
操作部６８は、側板３２の窓口３６に対応する。
一実施形態中では、弾性部品４６は、係合ロック部品４４に相対するサポート部６２の対応位置に設置する。
【００２２】
図２、３Ａ、３Ｂに示すように、補助台４２の内部には、第一抵触部７０、第二抵触部７２を含み、それぞれ補助台４２の両側部位に位置する。
好ましくは、第一抵触部７０と第二抵触部７２は、補助台４２に隣接する下部と上部にそれぞれ位置する。
しかも、第一抵触部７０と第二抵触部７２との間は、所定の距離を開ける。
【００２３】
組み立て時には、係合ロック部品４４は、は、補助台４２の取り付け口４３より挿入する。
これにより、係合ロック部品４４のサポート部６２は、補助台４２の第一抵触部７０に接触する。
しかも、弾性部品４６は、補助台４２の第二抵触部７２に接触する。
この状態下で、係合ロック部品４４は、弾性を呈して、補助台４２の内部に取り付けられる。
係合ロック部品４４のアーム部６６は、挿入部品５０の溝槽６０外まで貫通する。
好ましくは、サポート部６２と第一抵触部７０とは、対応し、かつ相互に接触する弧状面６３を備える。
係合ロック部品４４は、補助台４２により、ベース２８に取り付けため、係合ロック部品４４のサポート部６２は、補助台４２により、ベース２８に間接的に接触するということができる。
【００２４】
図３Ａ、３Ｂに示すように、操作者が、ブラケット１２をラックの第一ポスト１８ａに取り付ける時、操作者は、窓口３６から力量Ｆ１を加えて操作部６８を操作する。
これにより、弾性部品４６は操作部６８に反応し、弾力を一時保存し、さらに係合ロック部品４４は、サポート部６２をサポート点として、第一抵触部７０に相対し、ある角度の回転を行う。
こうして、係合ロック部品４４のアーム部６６は偏移し、係合ロック凸体６４は挿入部品５０の溝槽６０内へと収縮する。
【００２５】
この状態で、取り付け部品４８と挿入部品５０とは、対応して、第一ポスト１８ａの孔２０を貫通する。
好ましくは、係合ロック凸体６４の端部には、斜面６５を備え、第一ポスト１８ａに対応する。
組み立て時には、ブラケット１２の取り付け部品４８及び挿入部品５０を、ラック１６上の任意のポスト１８ａ或いは１８ｂの孔２０に合わせて挿入するだけで、係合ロック凸体６４の斜面６５を通して、孔２０の内壁に導引される。
またこれにより、係合ロック部品４４のアーム部６６は偏移し、操作部６８に施力しなくとも、組み立ての目的を達成することができる。
【００２６】
図４Ａに示すように、取り付け部品４８と挿入部品５０が、第一ポスト１８ａの孔２０を貫通後、操作者は、力量Ｆ１の荷重を停止することができる。
この時、弾性部品４６が放つ弾力は、係合ロック部品４４に作用することで、係合ロック部品４４は初期状態を回復し、係合ロック部品４４の係合ロック凸体６４は、所定の位置を再度保持する。
これにより、係合ロック部品４４の係合ロック凸体６４は、第一ポスト１８ａにおいてブロック或いは係合固定される。
こうして、ブラケット１２が第一ポスト１８ａ上から脱落しないよう確保する。
【００２７】
機構設計においては、許容される公差（ｔoｌｅｒａｎｃｅ）がある。
そのため、本実施形態の係合固定間隔距離Ｄ１は、係合ロック凸体６４とベース２８の端板３４との間の距離と定義され、サポート長Ｄ２は、取り付け部品４８の前端とベース２８の端板３４との間の距離と定義される。
係合固定しようとする物件（例えば、第一ポスト１８ａ）の厚さはｔである。
上記により、係合固定間隔距離Ｄ１がサポート長Ｄ２より小さく、しかも係合固定間隔距離Ｄ１が物件の厚さｔより大きければ、ブラケット１２を確実かつ迅速に第一ポスト１８ａに取り付けることができ、しかもブラケット１２は第一ポスト１８ａ上から脱落しない。
【００２８】
図４Ｂに示すように、操作者が、ブラケット１２を、第一ポスト１８ａ上から取り外す時には、操作者は、同様に力量Ｆ１を加え、操作部６８を操作する。
これにより、係合ロック部品４４の係合ロック凸体６４は、挿入部品５０の溝槽６０の内部へと収縮する。
この状態で、操作者は、ブラケット１２を、第一ポスト１８ａの孔２０から抜き取り、ブラケット１２と第一ポスト１８ａとの取り付け状態を解除することができる。
【００２９】
図５Ａは、本考案一実施形態によるブラケット１２の取り付け部品４８の実施形態を示す。
取り付け部品４８は、移動可能な矩形本体４９、円柱形本体５１、バネ５３を備える。
矩形本体４９は、円柱形本体５１に相対してスライド可能状に連接する。
バネ５３の弾力は、矩形本体４９に加えられ、矩形本体４９は、バネ５３の弾力により伸び出る。
この構造により、第一ポスト１８ａの孔２０が方形である時、ブラケット１２の取り付け部品４８は、矩形本体４９により、第一ポスト１８ａの孔２０を対応して貫通し、ブラケット１２を、第一ポスト１８ａに取り付ける。
【００３０】
或いは、図５Ｂに示すように、第一ポスト１８ａの孔２０が円孔である時、ブラケット１２の取り付け部品４８の矩形本体４９は、移動可能に調整されて第一ポスト１８ａに接触する。
さらに、円柱形本体５１が対応して第一ポスト１８ａの孔２０を貫通することで、ブラケット１２は、第一ポスト１８ａに取り付けられる。
しかし、第一ポスト１８ａの孔の形状及び取り付け部品４８の対応形状は、取り付け部品４８の実施の特徴を説明するために用いるだけで、実施においては、本実施形態に開示する形状に限定するものではない。
【００３１】
図５Ｃ、５Ｄは、別種の取り付け部品４８ａの形態を示す。
この種の取り付け部品４８ａは、固定式の形式で、ブラケット１２に掛け、或いは直接ブラケット１２より成形するが、実施においてはこれに限定しない。
本実施形態においては、取り付け部品４８ａは、２種の異なるサイズの取り付け部４９ａ及び４９ｂを備え、異なる孔径のラックのポスト１９ａ及び１９ｂに取り付けることができる。
【００３２】
図６に示すシャーシ（ｃｈａｓｓｉｓ）７４は、一対のスライドレールアセンブリ１０により、ラック１６に取り付けられる。
本実施型態では、ラック１６は４本のポスト（第一ポスト１８ａ、第二ポスト１８ｂ、第三ポスト１８ｃ、及び第四ポスト１８ｄ）を備える。
一実施形態中では、シャーシ７４は、少なくとも１個の係合装置７６を備え、ブラケット１２に対応する。
【００３３】
図７に示すように、係合装置７６は、嵌合部品７８及びバネ８０を備える。
嵌合部品７８は、接触部８２を備え、ブラケット１２の挿入部品５０の嵌合部５８に対応する。
挿入部品５０の嵌合部５８と嵌合部品７８の接触部８２との間は、バネ８０が生じる弾力を嵌合部品７８に加えることで、挿入部品５０の嵌合部５８と嵌合部品７８の接触部８２との間は、相互に嵌合して定位を保持することができる。
この設置により、シャーシ７４は、係合装置７６は、堅固にブラケット１２に係合される。
【００３４】
図８に示すように、外力Ｆ２が、係合装置７６の嵌合部品７８に加えられると、嵌合部品７８は、外力Ｆ２に反応して移動し、バネ８０が生じる弾力を克服する。
これにより、嵌合部品７８の接触部８２は、挿入部品５０の嵌合部５８より離脱し、この状態下で、シャーシ７４は、ブラケット１２により簡単にラック１６から引き出される。
【００３５】
（第二実施形態）
図９は、本考案の第二実施形態のブラケットを示す。
ブラケット２００は、補助台２０２、係合ロック部品２０４、弾性部品２０８を備え、係合ロック部品２０４は補助台２０２により、ベース２０６に取り付けられる。
補助台２０２は、取り付け口２１０、第一抵触部２１２、第二抵触部２１４を備える。
第一抵触部２１２及び第二抵触部２１４は、それぞれ補助台２０２の両側部位に位置する。
好ましくは、第一抵触部２１２と第二抵触部２１４とは、補助台２０２に隣接する下部と上部にそれぞれ位置し、しかも第一抵触部２１２と第二抵触部２１４との間は、所定の距離を開ける。
係合ロック部品２０４は、サポート部２１８、凹槽２２０、係合ロック凸体２２２を備える。
【００３６】
係合ロック部品２０４は、取り付け口２１０により、補助台２０２に取り付けられる。
係合ロック部品２０４が補助台２０２に取り付けられると、第一抵触部２１２は、係合ロック部品２０４のサポート部２１８に接触される。
弾性部品２０８は、補助台２０２の第二抵触部２１４と係合ロック部品２０４の凹槽２２０との間に取り付けられる。
好ましくは、補助台２０２の第二抵触部２１４は、収容室を形成し、弾性部品２０８の一部分を、その内に収容する。
この構造配置により、係合ロック部品２０４の係合ロック凸体２２２は、同様に、弾性部品２０８の弾力に反応し、所定の位置を保持する。
例えば、本実施形態中では、係合ロック部品２０４の係合ロック凸体２２２は、挿入部品２２４の溝槽２２６外に伸び出す状態を保持される。
【００３７】
（第三実施形態）
図１０は、本考案の第三実施形態のブラケットがラックのポストに対応する状態を示す。
本実施形態中では、ブラケット３００の係合ロック部品３０２と挿入部品３０４は、分かれた配置方式を呈する。
係合ロック部品３０２が操作されると、係合ロック部品３０２の係合ロック凸体３０６と挿入部品３０４とは、それぞれ対応して、ラックのポスト３０８の孔３１０に取り付けられる。
係合ロック部品３０２の係合ロック凸体３０６は、ポスト３０８において、ブロック或いは係合固定される。
挿入部品３０４の嵌合部３１２は、シャーシの係合装置と、相互に嵌合する。
この部分の関連原理は実施形態で説明済みであるため、ここでは詳述しない。
【００３８】
（第四実施形態）
図１１は、本考案の第四実施形態のブラケットを示す。
本実施形態中では、ブラケットのベース４００は、補助台４０２に直接成形される。
例えば、補助台４０２は、ベース４００の側板４０４の一部位に直接成形される。
補助台４０２は、取り付け口４０６、第一抵触部４０８、第二抵触部４１０を備える。
第一抵触部４０８及び第二抵触部４１０は、補助台４０２の両側部位にそれぞれ位置する。
好ましくは、第一抵触部４０８と第二抵触部４１０とは、補助台４０２に隣接する下部と上部にそれぞれ位置し、しかも第一抵触部４０８と第二抵触部４１０との間は、所定の距離を開ける。
【００３９】
ブラケットはさらに、ストッパ４１２を備える。
係合ロック部品４１４は、取り付け口４０６により、ベース４００の補助台４０２に取り付けられる。
第一抵触部４０８は、係合ロック部品４１４のサポート部４１６に直接接触され、第二抵触部４１０は、弾性部品４１８に接触される。
ストッパ４１２は、係合ロック部品４１４をブロックし、これにより係合ロック部品４１４を、堅固にベース４００に保持する。
本実施形態中では、ブラケットの取り付け部品４２０と挿入部品４２２は、ベース４００の端板４２４に直接取り付けられ、或いは成形される。
【００４０】
（第五実施形態）
図１２は、本考案の第五実施形態のブラケットを示す。
第五実施形態と第四実施形態との差異を、以下に説明する。
ブラケットのストッパ５００は、ベース５０２の側板５０４の一部位に一体成形され、補助台５０６の位置に対応する。
係合ロック部品５０８が、補助台５０６に対応して取り付けられる、ストッパ５００は、係合ロック部品５０８をブロックし、係合ロック部品５０８をベース５０２に堅固に保持する。
【００４１】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００４２】
１０  スライドレールアセンブリ、
１２  第一ブラケット、
１４  第二ブラケット、
１６  ラック、
１８ａ  第一ポスト、
１８ｂ  第二ポスト、
１８ｃ  第三ポスト、
１８ｄ  第四ポスト、
１９ａ、１９ｂ  ポスト、
２０、３１０  孔、
２２  第一レール、
２４  第二レール、
２６  取り付け部、
２８、２０６、４００、５０２  ベース、
３０  取り付け装置、
３２、４０４、５０４  側板、
３３  サポートフレーム、
３４、４２４  端板、
３６  窓口、
３８  取り付け孔、
４０  穿孔、
４２、２０２、４０２、５０６  補助台、
４３、２１０、４０６  取り付け口、
４４、２０４、３０２、４１４、５０８  係合ロック部品、
４６、２０８、４１８  弾性部品、
４６１  弾性空間、
４８、４８ａ、４２０  取り付け部品、
４９  矩形本体、
４９ａ、４９ｂ  取り付け部、
５０、２２４、３０４、４２２  挿入部品、
５１  円柱形本体、
５２  身部、
５３  バネ、
５４  頭部、
５６  陥没エリア、
５８  嵌合部、
６０、２２６  溝槽、
６２、２１８、４１６  サポート部、
６３  弧状面、
６４、２２２、３０６  係合ロック凸体、
６５  斜面、
６６  アーム部、
６８  操作部、
７０、２１２、４０８  第一抵触部、
７２、２１４、４１０  第二抵触部、
７４  シャーシ、
７６  係合装置、
７８  嵌合部品、
８０  バネ、
８２  接触部、
２００、３００  ブラケット、
２２０  凹槽、
３０８  ポスト、
３１２  嵌合部、
４１２、５００  ストッパ、
Ｄ１  係合固定間隔距離、
Ｄ２  サポート長、
Ｆ１  力量、
Ｆ２  外力、
ｔ  厚さ。
【図１】
0003196094.tif 000003
【図２】
0003196094.tif 000004
【図２Ａ】
0003196094.tif 000005
【図２Ｂ】
0003196094.tif 000006
【図３Ａ】
0003196094.tif 000007
【図３Ｂ】
0003196094.tif 000008
【図４Ａ】
0003196094.tif 000009
【図４Ｂ】
0003196094.tif 000010
【図５Ａ】
0003196094.tif 000011
【図５Ｂ】
0003196094.tif 000012
【図５Ｃ】
0003196094.tif 000013
【図５Ｄ】
0003196094.tif 000014
【図６】
0003196094.tif 000015
【図７】
0003196094.tif 000016
【図８】
0003196094.tif 000017
【図９】
0003196094.tif 000018
【図１０】
0003196094.tif 000019
【図１１】
0003196094.tif 000020
【図１２】
0003196094.tif 000021